(57)【要約】【課題】チャネリゼーションに適している方法および装置を提供する。【解決手段】時間−周波数リソースに対して、時間−周波数リソースの一つ以上のゾーンの各々のための物理サブキャリアが、伝送のそれぞれのタイプを有する一つ以上のゾーンに割り当てられる。少なくとも一つのゾーンは、ローカライズされたサブキャリアを使用する伝送のタイプに割り当てられる。ゾーンの各々に割り当てられた物理サブキャリアは、論理サブキャリアにマップするために置換される。リソースブロックのグループが形成される。ここで、リソースブロックの各々は、一つ以上のゾーンの各々のための少なくとも一つの論理サブキャリアを含む。一つ以上のゾーンの各々のためのリソースブロックのグループを定義する情報がユーザに発信されてもよい。この情報は、ゾーン構成インデックスの形であってもよい。【選択図】図６
2015097401.tif 000002
【特許請求の範囲】
【請求項１】
チャネリゼーションに適している方法であって：
時間−周波数リソースに対して；
物理サブキャリアを前記時間−周波数リソースの一つ以上のゾーンの各々に割り当てるステップであって、ゾーンの各々は、それぞれの伝送のタイプのために使用されるところのステップと；
論理サブキャリアにマップするために、ゾーンの各々に割り当てられた前記物理サブキャリアを置換するステップと；
リソースブロックのグループを形成する、形成ステップであって、リソースブロックの各々は、前記一つ以上のゾーンの各々のための少なくとも一つの論理サブキャリアを含んでいるところの、形成ステップと；
前記一つ以上のゾーンの各々のためのリソースブロックの前記グループを定義する情報を送信するステップと；
を有する方法。
【請求項２】
物理サブキャリアを前記時間−周波数リソースの前記一つ以上のゾーンの各々に割り当てるステップは、分散されたチャネル伝送のために使用されるゾーンに物理サブキャリアを割り当てるステップ、
を有する請求項１記載の方法。
【請求項３】
物理サブキャリアを前記時間−周波数リソースの前記一つ以上のゾーンの各々に割り当てるステップは、物理サブキャリアを周波数選択スケジューリング・チャネル伝送のために使用されるゾーンに割り当てるステップ、を有する請求項１記載の方法。
【請求項４】
物理サブキャリアを前記時間−周波数リソースの前記一つ以上のゾーンの各々に割り当てるステップは、物理サブキャリアを：
フラクショナル周波数チャネル伝送；
ユニキャスト単一周波数ネットワーク（ＳＦＮ）チャネル伝送；
ネットワークマルチプルインプット・マルチプルアウトプット（ＭＩＭＯ）チャネル伝送；および
マルチキャスト放送サービス（ＭＢＳ）ＳＦＮチャネル伝送；
のうちの少なくとも１つのために使用されるゾーンに割り当てるステップを有する、請求項１記載の方法。
【請求項５】
論理サブキャリアにマップするために物理サブキャリアを置換するステップは、ゾーン特有の置換を使用して実行され、所与のゾーンに対して前記物理サブキャリアを論理サブキャリアにマッピングすることを定義する、請求項１記載の方法。
【請求項６】
前記一つ以上のゾーンの各々のためのリソースブロックの前記グループを定義する情報を送信するステップは、制御チャネルによってゾーン構成インデックスを送信するステップを有する、請求項１記載の方法。
【請求項７】
前記一つ以上のゾーンの各々の制御チャネルによってゾーン構成インデックスを送信するステップは、
ゾーン特有の組合せインデックスであって、前記一つ以上のゾーンの各々のためのリソースブロックの前記グループの順序は重要でないところの、インデックス；および
ゾーン特有の置換インデックスであって、前記一つ以上のゾーンの各々のためのリソースブロックの前記グループの順序は重要であるところの、インデックス；
のうちの１つを送信するステップ、を有する請求項６記載の方法。
【請求項８】
前記時間−周波数リソースは、複数のサブキャリアで送信される複数のＯＦＤＭシンボルを含むＯＦＤＭサブフレームである、請求項１記載の方法。
【請求項９】
複数のＯＦＤＭサブフレームが、ＯＦＤＭフレームを有し、
当該方法は：
前記ＯＦＤＭフレームに、前記複数のＯＦＤＭサブフレームを割り当てるステップ、
を更に有する請求項８記載の方法。
【請求項１０】
マルチ・キャリア・オペレーションに対して、当該方法は：
キャリアの各々に対して、構成されるゾーンの数に従い、異なるチャネリゼーションを構成するステップ、を有する請求項１記載の方法。
【請求項１１】
マルチ・キャリア・オペレーションに対して、当該方法は：
複数のバンド全体に、チャネリゼーションをスパンさせるステップ、を有する請求項１記載の方法。
【請求項１２】
ＩＥＥＥ８０２．１６ｍ用の請求項１記載の方法。
【請求項１３】
論理サブキャリアにマップするために、ゾーンの各々に割り当てられた前記物理サブキャリアを置換するステップの前に、
ローカライズされたサブキャリアを使用する伝送のタイプに対して前記一つ以上のゾーンの少なくとも一つのゾーンがある場合、ダイバーシティサブキャリアを使用する伝送のタイプに対して前記一つ以上のゾーンの少なくとも一つのゾーンを割り当てる前に、ローカライズされたサブキャリアを使用する前記一つ以上のゾーンの少なくとも一つのゾーンを割り当てるステップ、
を更に有する請求項１記載の方法。
【請求項１４】
移動局と基地局との間のアップリンク通信のために：
物理サブキャリアを一つ以上のゾーンの各々に割り当てるステップは、物理タイルを割り当てるステップであって、該タイルは、ゾーンの各々に対して、少なくとも一つのサブキャリアで少なくとも一つのＯＦＤＭシンボルの二次元の時間−周波数リソースであるところのステップを含み；
論理サブキャリアにマップするために、ゾーンの各々に割り当てられた前記物理サブキャリアを置換するステップは、論理タイルにマップするために、ゾーンの各々に割り当てられた前記物理タイルを置換するステップを含み；かつ、
リソースブロックのグループを形成する、形成ステップであって、リソースブロックの各々は、前記一つ以上のゾーンの各々のための少なくとも一つの論理サブキャリアを含んでいるところの、形成ステップは、リソースブロックのグループを形成する、形成ステップであって、リソースブロックの各々は、前記一つ以上のゾーンの各々のための少なくとも１つの論理タイルを含む、ところのステップを含む；
請求項１記載の方法。
【請求項１５】
前記一つ以上のゾーンにおいて使用される伝送信号のタイプの選択の機能として、隣接したセクタの間の干渉調整を実行するステップ、
を更に有する請求項１４記載の方法。
【請求項１６】
請求項１記載の方法をインプリメントするように構成された送信器。
【請求項１７】
時間−周波数リソースに対して、前記時間−周波数リソースの一つ以上のゾーンの各々のための物理サブキャリアを割り当てる手順であって、ゾーンの各々は、それぞれの伝送のタイプのために使用されるところの手順と；
論理サブキャリアにマップするために、ゾーンの各々に割り当てられた前記物理サブキャリアを置換する手順と；
前記一つ以上のゾーンの各々のための論理サブキャリアのグループを形成する手順と；  前記一つ以上のゾーンの各々のための論理サブキャリアの前記グループを定義する情報を送信する手順と；
を含む命令をコンピュータに実行させるプログラム。
【請求項１８】
チャネリゼーションに適している方法であって：
複数のサブフレームを含むフレームとして定義される時間−周波数リソースに対して、サブフレームの各々は、一つ以上のゾーンを含み、前記複数のサブフレームを前記フレームに割り当てるステップと；
複数のサブフレームを定義した情報を送信するステップと；
サブフレームの各々に対して、前記サブフレームの前記一つ以上のゾーンの各々に対する物理サブキャリアを割り当てるステップであって、ゾーンの各々は、それぞれの伝送のタイプのために使用されるところのステップと；
論理サブキャリアにマップするために、ゾーンの各々に割り当てられた前記物理サブキャリアを置換するステップと；
前記一つ以上のゾーンの各々のための論理サブキャリアのグループを形成するステップと；
前記一つ以上のゾーンの各々のための論理サブキャリアの前記グループを定義する情報を送信するステップと；
を有する方法。
【請求項１９】
請求項１８記載の方法をインプリメントするように構成される送信器。
【発明の詳細な説明】
【技術分野】
【０００１】
本発明は無線通信方式のチャネリゼーションに関する。
【背景技術】
【０００２】
［関連出願］
本出願は、２００８年１１月７日に出願された国際出願番号ＰＣＴ／ＣＡ２００８／００１９８６号の国内段階移行の出願であり、この出願の利益を享受する。また、本出願は、２００７年１１月７日に出願のアメリカ仮出願番号第６０／９８６，１６６号、および２００８年３月４日に出願のアメリカ仮出願番号第６１／０３３６３１号の利益を享受する。そして、これらの出願の全部は、本願明細書に引用したものとする。
【０００３】
移動局が他の移動局と通信し、あるいは、有線ネットワークに接続された有線の端末と通信することを可能にするためのさまざまな無線アクセス技術が提案され、またインプリメントされてきた。無線アクセス技術の例としては、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって定義されるＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の技術、３ＧＰＰ２によって定義されるＣＤＭＡ２０００（符号分割多重アクセス方式２０００）技術等がある。
【０００４】
無線アクセス技術の継続的な発展の一つとして、スペクトル効率を改善するために、サービスを改善するために、より低いコストにする等のために、新しい標準が提案されてきた。そのような新しい標準として、３ＧＰＰから標準のＬＴＥ（Ｌｏｎｇ  Ｔｅｒｍ  Ｅｖｏｌｕｔｉｏｎ）がある。これはＵＭＴＳワイヤレス・ネットワークを強化しようとするものである。３ＧＰＰ２によるＣＤＭＡ２０００無線アクセス技術もまた発展してきている。ＣＤＭＡ２０００の進展はＵＭＢ（Ｕｌｔｒａ  ｍｏｂｉｌｅ  Ｂｒｏａｄｂａｎｄ）アクセス技術と呼ばれ、高速、かつ、短いレイテンシをサポートする。
【０００５】
他のタイプの無線アクセス技術は、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）技術である。ＷｉＭａｘはＩＥＥＥ（電気電子学会）８０２．１６スタンダードに基づく。ＷｉＭａｘ無線アクセス技術は、無線広帯域アクセスを提供するように設計されている。
【発明の概要】
【発明が解決しようとする課題】
【０００６】
上記のさまざまな無線アクセス技術のために使用される既存のコントロール・チャネルデザインは、比較的非効率的である。移動局が適切にダウンリンクデータを受信し、かつ、アップリンク・データを送信することを可能にするために基地局から移動局に制御情報が送られる。そして、この制御情報を含む制御チャネルには、通常は比較的多量な情報が含まれている。場合によっては、比較的多量な情報を有するこの種の制御チャネルは、セルまたはセル・セクタの複数の移動局にブロードキャストされる。制御チャネルをブロードキャストすることに伴うオーバーヘッドは、これらの技術の利用を非効率なものとする。なぜなら、この種の制御チャネルをブロードキャストすることによって、かなりの電力およびバンド幅が消費されるからである。セルまたはセル・セクタにおいて最も弱いワイヤレス接続を有する移動局に接続するためには、ブロードキャストされた制御チャネルのパワーは、十分高くなければならない。ＩＥＥＥ８０２．１６ｅのコントロール・チャネルデザインを例として取り上げれば、パワー、およびバンド幅において非効率的である。
制御チャネルは、周波数再利用ファクタＮ＝３でフル出力を使用して、全てのユーザに常にブロードキャストされるので、利用可能な電力、およびバンド幅のかなりの部分を消費することとなる。現在の制御チャネルデザインの他の不利な点としては、多くの異なる信号オプションを使用するということである。これによって、制御チャネルのオーバーヘッドを極端に増加する。ＵＭＢ、およびＬＴＥのコントロール・チャネルデザインは、より効率的であるが、両者とも、パワー、およびバンド幅のオーバーヘッドを減らすために、更に最適化される余地がある。
【課題を解決するための手段】
【０００７】
本発明の態様によれば、チャネリゼーションに適している方法であって：時間−周波数リソースに対して；物理サブキャリアを前記時間−周波数リソースの一つ以上のゾーンの各々に割り当てるステップであって、ゾーンの各々は、それぞれの伝送のタイプのために使用されるところのステップと；論理サブキャリアにマップするために、ゾーンの各々に割り当てられた前記物理サブキャリアを置換するステップと；リソースブロックのグループを形成する、形成ステップであって、前記一つ以上のゾーンの各々のための少なくとも一つの論理サブキャリアを含んでいるところの、形成ステップと；前記一つ以上のゾーンの各々のためのリソースブロックの前記グループを定義する情報を送信するステップと；を有する方法が提供される。
【０００８】
ある実施例において、物理サブキャリアを前記時間−周波数リソースの前記一つ以上のゾーンの各々に割り当てるステップは、分散されたチャネル伝送のために使用されるゾーンに物理サブキャリアを割り当てるステップ、を有する。
【０００９】
ある実施例において、物理サブキャリアを前記時間−周波数リソースの前記一つ以上のゾーンの各々に割り当てるステップは、物理サブキャリアを周波数選択スケジューリング・チャネル伝送のために使用されるゾーンに割り当てるステップ、を有する。
【００１０】
ある実施例において、物理サブキャリアを前記時間−周波数リソースの前記一つ以上のゾーンの各々に割り当てるステップは、物理サブキャリアを：フラクショナル周波数チャネル伝送；ユニキャスト単一周波数ネットワーク（ＳＦＮ）チャネル伝送；ネットワークマルチプルインプット・マルチプルアウトプット（ＭＩＭＯ）チャネル伝送；およびマルチキャスト放送サービス（ＭＢＳ）ＳＦＮチャネル伝送；のうちの少なくとも１つのために使用されるゾーンに割り当てるステップを有する。
【００１１】
ある実施例において、論理サブキャリアにマップするために物理サブキャリアを置換するステップは、ゾーン特有の置換を使用して実行され、所与のゾーンに対して前記物理サブキャリアを論理サブキャリアにマッピングすることを定義する。
【００１２】
ある実施例において、前記一つ以上のゾーンの各々のためのリソースブロックの前記グループを定義する情報を送信するステップは、制御チャネルによってゾーン構成インデックスを送信するステップを有する。
【００１３】
ある実施例において、前記一つ以上のゾーンの各々の制御チャネルによってゾーン構成インデックスを送信するステップは、ゾーン特有の組合せインデックスであって、前記一つ以上のゾーンの各々のためのリソースブロックの前記グループの順序は重要でないところの、インデックス；およびゾーン特有の置換インデックスであって、前記一つ以上のゾーンの各々のためのリソースブロックの前記グループの順序は重要であるところの、インデックス；のうちの１つを送信するステップ、を有する。
【００１４】
ある実施例において、前記時間−周波数リソースは、複数のサブキャリアで送信される複数のＯＦＤＭシンボルを含むＯＦＤＭサブフレームである。
【００１５】
ある実施例において、複数のＯＦＤＭサブフレームが、ＯＦＤＭフレームを有し、当該方法は：前記ＯＦＤＭフレームに、前記複数のＯＦＤＭサブフレームを割り当てるステップ、を更に有する。
【００１６】
ある実施例において、マルチ・キャリア・オペレーションに対して、方法は：キャリアの各々に対して、構成されるゾーンの数に従い、異なるチャネリゼーションを構成するステップ、を有する。
【００１７】
ある実施例において、マルチ・キャリア・オペレーションに対して、方法は：複数のバンド全体に、チャネリゼーションをスパンさせるステップ、を有する。
【００１８】
ある実施例において、方法は、ＩＥＥＥ８０２．１６ｍ用の方法である。
【００１９】
ある実施例において、論理サブキャリアにマップするために、ゾーンの各々に割り当てられた前記物理サブキャリアを置換するステップの前に、ローカライズされたサブキャリアを使用する伝送のタイプに対して前記一つ以上のゾーンの少なくとも一つのゾーンがある場合、ダイバーシティサブキャリアを使用する伝送のタイプに対して前記一つ以上のゾーンの少なくとも一つのゾーンを割り当てる前に、ローカライズされたサブキャリアを使用する前記一つ以上のゾーンの少なくとも一つのゾーンを割り当てるステップ、を更に有する。
【００２０】
ある実施例において、移動局と基地局との間のアップリンク通信のために：物理サブキャリアを一つ以上のゾーンの各々に割り当てるステップは、物理タイルを割り当てるステップであって、該タイルは、ゾーンの各々に対して、少なくとも一つのサブキャリアで少なくとも一つのＯＦＤＭシンボルの二次元の時間−周波数リソースであるところのステップを含み；論理サブキャリアにマップするために、ゾーンの各々に割り当てられた前記物理サブキャリアを置換するステップは、論理タイルにマップするために、ゾーンの各々に割り当てられた前記物理タイルを置換するステップを含み；かつ、リソースブロックのグループを形成する、形成ステップであって、リソースブロックの各々は、前記一つ以上のゾーンの各々のための少なくとも一つの論理サブキャリアを含んでいるところの、形成ステップは、リソースブロックのグループを形成する、形成ステップであって、リソースブロックの各々は、前記一つ以上のゾーンの各々のための少なくとも１つの論理タイルを含む、ところのステップを含む。
【００２１】
ある実施例において、前記一つ以上のゾーンにおいて使用される伝送信号のタイプの選択の機能として、隣接したセクタの間の干渉調整を実行するステップ、を更に有する。
【００２２】
他の実施例において、時間−周波数リソースに対して、前記時間−周波数リソースの一つ以上のゾーンの各々のための物理サブキャリアを割り当てる手順であって、ゾーンの各々は、それぞれの伝送のタイプのために使用されるところの手順と；論理サブキャリアにマップするために、ゾーンの各々に割り当てられた前記物理サブキャリアを置換する手順と；前記一つ以上のゾーンの各々のための論理サブキャリアのグループを形成する手順と；前記一つ以上のゾーンの各々のための論理サブキャリアの前記グループを定義する情報を送信する手順と；を含む命令をコンピュータに実行させるプログラムが提供される。
【００２３】
更にその他の実施例として、チャネリゼーションに適している方法であって：複数のサブフレームを含むフレームとして定義される時間−周波数リソースに対して、サブフレームの各々は、一つ以上のゾーンを含み、前記複数のサブフレームを前記フレームに割り当てるステップと；複数のサブフレームを定義した情報を送信するステップと；サブフレームの各々に対して、前記サブフレームの前記一つ以上のゾーンの各々に対する物理サブキャリアを割り当てるステップであって、ゾーンの各々は、それぞれの伝送のタイプのために使用されるところのステップと；論理サブキャリアにマップするために、ゾーンの各々に割り当てられた前記物理サブキャリアを置換するステップと；前記一つ以上のゾーンの各々のための論理サブキャリアのグループを形成するステップと；前記一つ以上のゾーンの各々のための論理サブキャリアの前記グループを定義する情報を送信するステップと；を有する方法が提供される。
【００２４】
更にその他の実施例として、上述のいずれかの方法をインプリメントするように構成される送信器が提供される。
【００２５】
他の態様、および本発明の特徴は、付随する図とともに本発明の特定実施例の以下の説明を理解することによって、従来技術に精通した人々にとって明らかになる。
【００２６】
本発明の実施例は、現在添付の図面に即して以下に記載する。
【図面の簡単な説明】
【００２７】
【図１】本発明の実施例がインプリメントされたセルラー通信システムのブロック図である。
【図２】本発明の一実施例によるダウンリンク（ＤＬ）サブフレームの概要図である。
【図３】本発明の一実施例によるダウンリンク（ＤＬ）フレームのペアの例の概要図である。
【図４】本発明の一実施例による一対のＤＬフレームの他の例の概要図である。
【図５Ａ】物理アップリンク（ＵＬ）タイルが多様に割り当てられ、かつローカライズされた伝送方法の例の概要図である。
【図５Ｂ】論理ＵＬタイルが図５Ａの物理ＵＬタイルにどのように割り当てられるかの例を示す概要図である。
【図６】本発明の一実施例による時間−周波数リソースのゾーンを構成する方法を記載しているフローチャートである。
【図７】ゾーンが図６の方法に従って構成される方法の実施例を示す概要図である。
【図８】本発明の他の実施例によるフレームのゾーン、およびサブフレームを構成する方法を記載したフローチャートである。
【図９Ａ】本発明の他の実施例に従ってマルチ・キャリア・オペレーションに割り当てられた時間−周波数リソースの実施例の概要図である。
【図９Ｂ】本発明の他の実施例に従ってマルチ・キャリア・オペレーションに割り当てられた時間−周波数リソースの実施例の概要図である。
【図１０】本発明の一部の実施例をインプリメントするために使用され得る基地局の例のブロック図である。
【図１１】本発明の一部の実施例をインプリメントするために使用され得る実施例のワイヤレスターミナルのブロック図である。
【図１２】本発明の一部の実施例をインプリメントするために使用され得るＯＦＤＭ送信器アーキテクチュアの例の論理分析のブロック図である。
【図１３】本発明の一部の実施例をインプリメントするために使用され得るＯＦＤＭ受信器・アーキテクチュアの例の論理分析のブロック図である。
【発明を実施するための形態】
【００２８】
［本発明の詳細な実施例の説明］
本願明細書には、効率的なコントロール・チャネルデザインを可能にするチャネリゼーション方式の発明の実施例が記載されている。制御チャネル（これは、また、制御セグメントとも呼ばれる）は、無線通信ネットワークのリソースを割り当てるために使用される。「制御チャネル」または「制御セグメント」は信号を送る無線通信ネットワーク間の通信を可能にするコントロールに使用される情報を通信するためのメッセージ送信に関連する。本発明の一部の態様は、コントロール・オーバーヘッドを減らすために、制御チャネルにおけるインデクシング方法を使用する。
【００２９】
本発明の実施例の通信システムに提供するために、基地局コントローラ（ＢＳＣ）１０を図１に示す。この通信システムは、対応する基地局（ＢＳ）１４によって管理される複数のセル１２の中でワイヤレス通信を制御する。一般に、各々の基地局１４はモバイルおよび／またはワイヤレス端末１６（また、本明細書において、「ユーザ」または「ＵＥと称される」）とＯＦＤＭを使用している通信を行うことを可能とする。ワイヤレス端末１６は、対応する基地局１４に関連づけられたセル１２の中に存在する。別体セルは、複数のセクタ（図示せず）を有してもよい。基地局１４に対する移動局１６の変化は、チャネル状況の大きな変動となって現れる。図示するように、基地局１４、および移動局１６は、空間的ダイバーシティを通信に提供するために、複数のアンテナを含んでもよい。
【００３０】
発明のリソース管理方式において、伝送リソース配置のコントロールは、アップリンク（ＵＬ）、およびダウンリンク（ＤＬ）の一方または両方に対して実行されてもよい。ＵＬは、移動局から基地局の方向における伝達である。ＤＬは、基地局から移動局の方向における伝達である。
【実施例】
【００３１】
［ＤＬチャネリゼーション］
ＤＬのためのコントロール経路情報は複数のＯＦＤＭシンボルの中で形成される時間−周波数リソースにおいてインプリメントされる。そして、各々が複数のサブキャリアで送信される。この種の時間−周波数リソースの例は、伝送サブフレームである。複数のサブフレームは、共に伝送フレームを形成し得る。時間−周波数リソースは、一つ以上のゾーンに分けられる。各々のゾーンは、一つ以上のユーザに送信するために使用される。いくつかの実施例では、ゾーンは、送信されている伝送のタイプに基づいて形成される。例えば、一部のゾーンは、ダイバーシティ伝送のために使用される。ここでは、時間−周波数リソースのサブキャリアは、ゾーンの利用できるバンド上で、不連続かつ分散している。
他のゾーンは、ローカライズされた伝送のために使用されてもよい。ここでは、時間−周波数リソースのサブキャリアは、利用できるバンドゾーンにおいて隣接する。サブキャリアは物理サブキャリアまたは論理サブキャリアであってもよい。そして、これは置換マッピング（ｐｅｒｍｕｔａｔｉｏｎ  ｍａｐｐｉｎｇ）に基づいて再編成された物理サブキャリアである。いくつかの実施例では、異なるゾーンに帰属しているサブキャリアは排他的である、すなわち、サブキャリアは複数のゾーンに帰属しない。いくつかの実施例では、複数のゾーンが、同じサブキャリアを共有する。
【００３２】
上述のように、時間−周波数リソースのゾーンは、ＤＬ伝送の異なるタイプに対して使用されてもよい。ＤＬ伝送の異なるタイプの一部の特定の例としては、以下のものがある（なお、これらに限定されるものではない）：すなわち、通常のダイバーシティ伝送；周波数選択伝送；フラクショナル周波数再利用（ＦＦＲ：Ｆｒａｃｔｉｏｎａｌ  Ｆｒｅｑｕｅｎｃｙ  ｒｅｕｓｅ）伝送；単一周波数ネットワークユニキャスト（ＳＦＮ：Ｓｉｎｇｌｅ  Ｆｒｅｑｕｅｎｃｙ  Ｎｅｔｗｏｒｋ）伝送；ネットワークＭＩＭＯ伝送；および、マルチキャスト／放送サービス（ＭＢＳ）ＳＦＮ伝送が挙げられる。
【００３３】
ダイバーシティ伝送により、利用できるサブキャリアのバンド全体にわたるサブキャリアによる論理チャネル構造を可能とする。周波数選択伝送（ｆｒｅｑｕｅｎｃｙ  ｓｅｌｅｃｔｉｖｅ  ｔｒａｎｓｍｉｓｓｉｏｎ）は、物理的に隣接した（ローカライズされた）サブキャリアによるチャネル構造を可能とする。周波数選択伝送を用いて、無線リンクに対して、変調、符号化、および他の信号、並びにプロトコルパラメータの適応マッチングをとることによって、無線リンクにおける受信エンティティによるデータの受信を成功させる確率を高くする。
【００３４】
ＳＦＮ伝送は、同時に同じ周波数チャネルで同じ信号を送るために、いくつかの送信器を利用する。ＳＦＮ伝送はユニキャスト通信のために使用されてもよい。そして、これは基地局、および特定の移動局間の、またはマルチキャストおよび／またはブロードキャストのための通信である。そして、これは基地局、および所与の領域の全ての移動局間に対する通信（ブロードキャスト）、または基地局間の、および少なくとも所与の領域の移動局の選択されたグループに対する通信（マルチキャスト）である。ＦＦＲ伝送は、非隣接したセクタの一部の周波数を再利用する。
【００３５】
ＭＩＭＯ（複数の入力された／複数の出力）伝送は、基地局の複数の送信器移動局、および複数の受信器を利用する。そして、ＤＬおよび／またはＵＬ通信のために使用されてもよい。いくつかの実施例では、ＳＦＮ、ＭＢＳ、ＳＦＮ、およびＮｅｔｗｏｒｋ  ＭＩＭＯのユニキャストに対して、物理サブキャリアの配置は、対応するゾーン、関係しているセクタ、ＳＦＮまたはネットワークＭＩＭＯゾーン伝送において、同じである。
【００３６】
いくつかの実施例では、ＦＦＲダイバーシティ伝送に対して、物理サブキャリアの配置は、ネットワークのセルの異なるデータ通信セクタに対して異なっている。
【００３７】
いくつかの実施例では、各々のゾーンは、ゾーンの中のリソースがどのように異なるユーザに割り当てられるかについて示す制御チャネルを含む。
【００３８】
一部のレガシーＩＥＥＥ８０２．１６ｅシステムは、ダイバーシティの、ローカライズされた、およびＭＩＭＯゾーンを構成するための時間分割多重通信方式（ＴＤＭ）アプローチを使用する。本発明の一部の実施例は、周波数分割多重（ＦＤＭ）アプローチを使用する。ここでは、チャネリゼーションは、サブフレームのゾーンの全てのＯＦＤＭシンボルにわたって（スパンさせて）もよい。異なるゾーンは、異なるバンド部分を使用するように構成される。全てのシンボルにわたるチャネリゼーションは、コントロール、および転送量（ｔｒａｆｉｃ）の効率的なパワー制御を可能とする。拡張サブフレームは、複数のサブフレーム全体にわたるサブチャネルリソースを連結することにより定義され、オーバーヘッドを減少させ、ＵＬ範囲を改善する。この点は、特に、ダイバーシティ適用ゾーンにおいて顕著である。
【００３９】
図２を参照する。図２は、ＤＬサブフレームがどのように構成され得るかを示している。ＤＬサブフレーム１３０は、５つのゾーン１４０、１５０、１６０、１７０、１８０を含む。これらのゾーンは、一つ以上のリソースブロック（ＲＢ）で形成される。いくつかの実施例では、一つ以上のＲＢは、ベーシックチャネルユニット（ＢＣＵ）を形成する。
ＢＣＵは、１４２、１４６、および１４８のゾーン１４０によって示される。ＢＣＵ１４８は、１４３、１４４、１４５によって示される３つのＲＢを有することが示されている。各々のＲＢは、一つ以上のサブキャリア（個々のサブキャリアは、示されない）によって形成される。ＢＣＵの典型的なインプリメンテーションとしては、２つのＲＢを持ち、ＲＢは、６つのＯＦＤＭシンボルを持つ。ここで、各々のＯＦＤＭシンボルは、１２のサブキャリアを利用する。いくつかの実施例では、各々のゾーンは、ＤＬサブフレーム１３０の全てのシンボルにわたる。
【００４０】
各々のゾーン１４０、１５０、１６０、１７０、１８０は、制御チャネル１４１、１５１、１６１、１７１、１８１を有し、これらは、それぞれのゾーンの全てのＯＦＤＭシンボル全体にわたる。各々のゾーンの制御チャネルは、特定のユーザに対するゾーンにおけるリソースの位置を示す情報を含む。例えば、リソースは、マルチキャスト・メッセージおよび別々のユニキャスト・メッセージの組合せを使用することによって割り当てられてもよい。
【００４１】
図２の実施例において、最初の３つのゾーン１４０、１５０、１６０は、ＦＦＲチャネル割当てのために使用される。第４のゾーン１７０は周波数選択チャネル割当てのために使用され、第５のゾーン１８０は、通常のダイバーシティチャネル割当てのために使用されるダイバーシティゾーンである。
【００４２】
図２において定められるゾーンは、論理サブキャリアを含む。論理サブキャリアは、ゾーン特有、およびセクタ特有のマッピングに基づいて置換された物理サブキャリアである。
【００４３】
ＲＢの物理サブキャリアおよびＯＦＤＭシンボルの数、ゾーンにおけるＲＢの数、ＢＣＵにおけるＲＢの数、ゾーンにおけるＢＣＵの数、サブフレームの各々のゾーンに割り当てられた伝送の種類、サブフレームにおけるゾーンの数、およびサブフレームにおけるゾーンの配置は、全て例であり、特定のインプリメンテーションに依存するものである。
【００４４】
以下の図の説明を単純化するために、以下の図においては、図２において定められるゾーンと整合したゾーンのタイプは以下の通りとする：ゾーン１４０と整合した第１のＦＦＲ伝送ゾーンは参照符号「Ｒ」によって特定される。ゾーン１５０と整合した第２のＦＦＲ伝送ゾーンは参照符号「Ｏ」によって特定される。ゾーン１６０と整合した第３ＦＦＲ伝送ゾーンは参照符号「Ｙ」によって特定される。ゾーン１７０と整合した周波数選択伝送ゾーンは参照符号「Ｇ」によって特定される。そして、ゾーン１８０と整合した通常のダイバーシティ伝送ゾーンは参照符号「Ｂ」によって特定される。
【００４５】
図３は、２つのＤＬフレーム２１０、２２０に関する第１の実施例を例示する。２つのフレームのうちの、第１のフレーム２１０は、第１のフレーム・ヘッダ２１２、および第１のフレームボディ２１４を含む。第２のフレーム２２０は、第２のフレーム・ヘッダ２２２、および第２のフレームボディ２２４を含む。第２のフレームボディ２２０は、複数のサブフレーム２３０、２３２、２３４、２３６、２３８、２４０、２４２を含む。ここで、図２の、水平に配置された連結されたゾーンは、さらに縦割りに再編成された連結ゾーンに配置されている。周波数、すなわちＲＢおよびゾーンを形成する個々のサブキャリアは、横軸に沿って表され、ＯＦＤＭシンボルの数を表す時間は、縦軸によって表される。図の例では、サブフレーム２３０、および２４０は、図２において例示されるサブフレーム１００に、類似した配置となっている。
【００４６】
二つのフレームだけが図３において例示されているが、この図は、単に、送信器から受信器への伝送を形成する二つのフレームが全体の一連のフレームでどのように設定され得るかについて示したものであると理解すべきである。
【００４７】
いくつかの実施例では、図３の各々のゾーンは、図２における上記の複数のＲＢを含む。
【００４８】
一部の実施例において、所与のフレームの各々のサブフレームに対するゾーンの数および構成は、システム情報ブロードキャスト信号の一部として、ゾーン構成インデックスを使用してブロードキャストする。システム情報ブロードキャスト信号は、定期的に、または、一部のシステム情報が少なくとも変わった時に、基地局によって送信される。いくつかの実施例では、システム情報ブロードキャストされた信号は、あらゆるフレームで送られる。いくつかの実施例では、例えばフレーム・ヘッダの一部として、システム情報ブロードキャストされた信号は、フレームの始まりの部分で送られる。本発明の以下の説明は、説明の便宜上、例示としてフレーム・ヘッダを使用する。この特定のインプリメンテーションは、システム情報ブロードキャスト信号を送信する他の手段を排除しない。
【００４９】
いくつかの実施例では、フレーム・ヘッダ２１２、および２２２は、本出願人所有の２００８年９月２日に出願の米国特許出願番号第１２／２０２，７４１号に整合する制御チャネルを含む。この出願の内容は、完全に本願明細書に引用したものとする。コントロールチャネルは、米国特許出願番号第１２／２０２，７４１号にて説明したように、例えば組合せインデックスおよび／または置換インデックスを含んでもよい。
【００５０】
いくつかの実施例では、ゾーンについて、同じ数および構成が、そのフレームの継続期間（ｄｕｒａｔｉｏｎ）に対して使用される。
【００５１】
いくつかの実施例では、一旦ゾーンが定められるならば、ゾーンの順序付けは図３に示すように各サブフレームに対して並び替えられる。サブフレームのゾーンの順序付けは、サブフレームゾーン配置パターンと称する。特に、フレーム２２０のフレームボディ２２４は、７つのサブフレームを含む。各々のサブフレームに同じ順序のゾーン（例えば「ＲＯＹＧＢ」）が存在する。なお、各々の次のサブフレームにおいて、サイクリックに１ゾーン毎にシフト（進行）する。第１のサブフレーム２３０において、Ｒタイプのゾーンがサブフレーム２３０の第１領域（ゾーンのカラムの一番上のゾーン）に配置されている。
そしてＢタイプのゾーンはサブフレーム２３０の最後のゾーン（ゾーンのカラムの一番下のゾーン）に配置されている。第２のサブフレーム２３２において、Ｒタイプのゾーンは第２のゾーンであり、他のゾーンタイプは、１ゾーンだけ同じように下にシフトしており、Ｂタイプ、ゾーン（これはサブフレーム２３０の最後のゾーンであった）はサブフレーム２３２の第１領域に存在する。これは、図示の例の各々の次のサブフレームにも同様に続いている。
【００５２】
図３の実施例において、フレーム２１０の間、ネットワーク基地局は、フレーム２２０において、次のフレームのゾーンの数および構成を調整し定義する。図の例では、ゾーン定義は、３つのＦＦＲ伝送ゾーンＲ、Ｏ、Ｙ、周波数選択伝送ゾーンＧ、および通常のダイバーシティ伝送ゾーンＢを含む。
【００５３】
フレーム２２０のゾーンの構成は（これはフレーム２１０の間に定められ）、フレーム２２０のフレーム・ヘッダ２２２で、移動局にブロードキャストされる。いくつかの実施例では、ゾーン構成インデックスとして、この構成情報が送られる。ゾーンの構成は、１つまたは両方の物理サブキャリアを論理サブキャリアに置換すること、および／または、サブフレームのゾーンの順序付けを参照してもよい。
【００５４】
各々のゾーンに対して、上述のように、制御チャネルは、それぞれのユーザに、ゾーンのためのリソースの割り当てに関して、追加情報を提供する。一部の実施例における、フレーム・ヘッダのサイズ、フレームボディのサイズ、フレームにおけるサブフレームのフレームの数、ゾーンの構成、それぞれのフレームのサブフレーム中の伝送ゾーンのタイプのパラメータは、インプリメンテーションによって異なる。
【００５５】
図４は、２つのＤＬフレーム２１０、３２０についての第２の実施例を例示する。フレーム２１０、および３２０は、フレームボディ２１４、３２４、およびフレーム・ヘッダ２１２、３２２を有する。フレーム２１０の間、ネットワークの基地局は、フレーム３２０のためのゾーンを調整し、かつ定義する。フレーム３２０には、さまざまなゾーンが含まれており、３つのＦＦＲ伝送ゾーンＲ、Ｏ、Ｙ、両者ともＧで表される周波数選択伝送のための２つのゾーン、および通常のダイバーシティ伝送ゾーンＢが含まれる。
【００５６】
図４において、２つのサブフレームゾーン配置パターンが定義されている。すなわち、サブフレーム３３０、３３４、３３８、および３４２において示される「ＧＲＧＯＹＢ」、そして、サブフレーム３３２、３３６、および３４０において示される「ＲＧＲＧＯＢ」である。これらは、交互に繰り返されている。
【００５７】
図２に関して説明したように、図４の図示の例の各々のゾーンは、複数のＲＢを含む。
【００５８】
一部の実施例において、全てのＲＢゾーンは、同数のサブキャリアを有する。周波数選択チャネル割当てのために使用されるゾーンにおいて、ＲＢは、隣接する物理サブキャリアから形成される。
【００５９】
ダイバーシティチャネル割当てのために使用されるゾーンにおいて、ＲＢは、利用できるサブキャリアの全てのバンドを通じて配信される物理サブキャリアから形成される。そして、これは論理サブキャリアとも呼ばれる。
【００６０】
いくつかの実施例では、物理サブキャリアから論理サブキャリアへの置換はセクタ毎に行われる。すなわち、異なるセルのセクタは、異なる独立の物理サブキャリアから論理サブキャリアへの置換を有する。いくつかの実施例では、物理サブキャリアから論理サブキャリアへの置換は、複数のセクタに共通である。
【００６１】
いくつかの実施例では、システム情報ブロードキャスト信号において一つ以上のビットを使用して、所与のゾーンがダイバーシティゾーンであるか周波数選択ゾーンであるかが示される。例えば、単一ビット「０」は、ダイバーシティゾーンを示し、そして、「１」は、周波数選択ゾーンを示すことによって、ダイバーシティゾーンか周波数選択ゾーンかを示すために使用される。
【００６２】
［ＵＬ  チャネリゼーション］
ＵＬのＲＢは、複数のＵＬタイルで形成される時間−周波数リソースである。各々のタイルは、一つ以上のサブキャリア上の所与の数のＯＦＤＭシンボルである。バンドのサブキャリアは、一グループの隣接するサブキャリアであってもよい。タイルの特定の実施例は、６つのサブキャリア上の６つのＯＦＤＭシンボルである。
【００６３】
各々のＵＬタイルは、専用のパイロット・サブキャリアを含む。ＵＬのＲＢは、単一のゾーンの一つ以上のＵＬタイルから形成されてもよい。
【００６４】
いくつかの実施例では、複数のゾーンを使うことは、隣接したセクタ同士の干渉を軽減するのに役立つ。例えば、複数のゾーンにおいて、異なる物理サブキャリアから論理サブキャリアへの置換を使用することは、隣接したセクタ間の干渉を減少させるのに役立つ。
いくつかの実施例では、ゾーンの数、およびゾーンの構成は、フレームの各々のサブフレームに対するフレーム・ヘッダによって送信される。ゾーンの構成は、サブフレームゾーン配置パターンに示されてもよい。いくつかの実施例では、この種の情報は、上述のように、米国特許出願番号第１２／２０２，７４１号に記載されている制御チャネルによって伝送される。
【００６５】
図５Ａ、および図５Ｂを参照する。この図は、タイルがダイバーシティ、およびローカライズされたゾーンに、どのように割り当てられるかの例を示している。そして、特定のゾーンタイプが、どのようにダイバーシティ、およびローカライズされたゾーンに割り当てられるかを以下に示す。
【００６６】
図５Ａは、ＵＬタイルが割り当てられるゾーンの物理的位置を例示する。各々のゾーンは、少なくとも一つの論理タイルを有する。論理タイルは、物理タイルを置換することによって形成される。
【００６７】
図５Ａの実施例は、所与の時間−周波数リソースのためのＵＬタイルの物理的位置を示す。時間−周波数リソースの物理タイルは、ダイバーシティ、またはローカライズされたゾーンのどちらかとして割り当てられる。ゾーンは、参照符号Ｄを有するタイルによって、ダイバーシティ割り当てゾーンが割り当てられる。そして、参照符号Ｌによって、周波数選択（ローカライズされた）割り当てゾーンが割り当てられる。
【００６８】
図５Ａは、９枚のタイルを有するダイバーシティ割り当てゾーン４００、それに続いて、７枚のタイルを有するローカライズされた割り当てゾーン４１０、それに続いて、９枚のタイルを有する他のダイバーシティ割り当てゾーン４２０が存在することを示している。
【００６９】
各々のゾーンに対する物理タイルの割り当ての数は、その時毎、シンボル毎、一組のシンボル毎、フレーム毎で異なる。いくつかの実施例では、セルの複数のセクタ全体にわたって、ゾーンの同じ順序付けが割り当てられ、そして、各々のゾーンにマップされる物理タイルは、関係する全てのセクタ全体で同じである。
【００７０】
図５Ｂは、特定のゾーンタイプが、図５Ａにおける分散された（ｄｉｓｔｒｉｂｕｔｅｄ）およびローカライズされたゾーン４００、４１０、４２０に割り当てられるかを示している。
【００７１】
ローカライズされたゾーンタイプのＧ（周波数選択伝送でタイプ）のタイルのマッピングは、図５Ａに示される物理タイル位置Ｌになされる。そして、これは時系列的（ｓｅｑｕｅｎｔｉａｌ）な順序で実行される。
【００７２】
したがって、ローカライズされた割り当てゾーン４１０の７枚のタイルに対して、ローカライズされたゾーンタイプＧタイルの時系列的なグループ化が割り当てられる。
【００７３】
ダイバーシティゾーンタイプＲ、Ｏ、Ｙタイルは、３つの特定のＦＦＲ伝送のタイプであり、図５Ａにおいて示される物理タイル位置Ｄにマッピングされる。このマッピングは、セクタタイル毎のタイル割り当てパターン「ＲＯＹ」に従ってダイバーシティゾーンＲ、Ｏ、Ｙを置換することによって実行する。図５Ｂに示すように、ダイバーシティゾーンタイプ、Ｒ、Ｏ、Ｙタイルは、タイル割り当てパターン「ＲＯＹ」を用いて、ダイバーシティ割り当てゾーンの４００、４２０の各々の９つのタイル・グループに対して３回繰り返して、９枚のタイルの、第１の、および第２の一組に割り当てられる。具体的には、図５Ｂにおいて、ダイバーシティゾーンタイプＲのタイル４３０は、ダイバーシティ割り当てゾーンに、各３枚目のタイルに割り当てられる。すなわち、１番目、４番目、７番目である。ダイバーシティゾーンタイプＯのタイル４４０は、２番目、５番目、そして８番目のタイルに位置する。そして、ダイバーシティゾーンタイプＹのタイル４５０は、３番目、６番目、および９番目に位置する。
【００７４】
複数のダイバーシティゾーンがネットワークのセクタの間の干渉の調整の目的である場合、干渉の調整に関係するネットワークのセクタ全体の各々の対応するダイバーシティゾーンは、同じ物理タイル位置を構成しなければならない。しかしながら、それぞれのダイバーシティタイプゾーンの論理タイルをマッピングするために使用される、物理タイル位置へのタイル割り当てパターンは、セクタに特有である。
【００７５】
一旦ゾーン・タイプ・タイルが物理的位置、ＤまたはＬに割り当てられると、ゾーンタイプ内の分割は論理タイルを使用して形成される。この詳細は後述する。
【００７６】
チャネリゼーションに使用するＵＬリソースのサイズ、タイルの数、タイルサイズ、ローカライズされたおよび分散されたタイルのグループ化、ゾーンの数およびタイプは、全て、個々のインプリメンテーションに特有のパラメータである。
【００７７】
［ゾーン構成信号］
いくつかの実施例では、フレームのためのゾーンの構成は、フレーム・ヘッダによって伝送される。いくつかの実施例では、構成は、ゾーン構成インデックスを使用して伝送される。
【００７８】
ゾーン構成インデックスは、サブフレーム毎の、ゾーンのサイズ、タイプ、および数を示す所定の構成のルックアップ・テーブルの値を示すものであってもよい。一部のインプリメンテーションにおいて、ゾーン構成インデックスは、置換インデックス（ＰＩ：ｐｅｒｍｕｔａｔｉｏｎ  ｉｎｄｅｘ）である。ＰＩは、所定のゾーンの順序に対して、異なるタイプのゾーンの各々におけるＢＣＵの数を定めたベクトルを示す。例えば、サブフレームにおけるゾーンを定義するためのベクトルで使用されるゾーンの所定の順序は、［Ｄ、ＤＦＦＲ１、ＤＦＦＲ２、ＤＦＦＲ３、Ｌ、ＬＦＦＲ１、ＬＦＦＲ２、ＬＦＦＲ３］である。ここで、Ｄは、通常のダイバーシティ配置ゾーンである；ＤＦＦＲ１は第１のダイバーシティＦＦＲ配置ゾーンである；ＤＦＦＲ２は第２のダイバーシティＦＦＲ配置ゾーンである；ＤＦＦＲ３は、第３のダイバーシティＦＦＲ配置ゾーンである；Ｌは、通常のローカライズされた配置ゾーンである；ＬＦＦＲ１は、第１のローカライズされたＦＦＲ配置ゾーンである；ＬＦＦＲ２は、第２のローカライズされたＦＦＲ配置ゾーンである；そして、ＬＦＦＲ３は、第３ローカライズされたＦＦＲ配置ゾーンである。
【００７９】
更なる実施例として、上記の定義されたベクトルに基づいてサブフレームを定義する特定のベクトルを、［１  ４  ３  ０  ３  １  ０  ２］とする。これは、Ｄゾーンに１つのＲＢを有し、ＤＦＦＲ１ゾーンに４つのＲＢを有し、ＤＦＦＲ２ゾーンに３つのＲＢを有し、ＤＦＦＲ３ゾーンに０個のＲＢを有し、Ｌゾーンに３つのＲＢを有し、ＬＦＦＲ１ゾーンに１つのＲＢを有し、ＬＦＦＲ２ゾーンに０個のＲＢを有し、ＬＦＦＲ３ゾーンに２つのＲＢを有することを定めている。いくつかの実施例では、この結果のベクトルＰＩ［１  ４  ３  ０  ３  １  ０  ２］が、直接使用される。いくつかの実施例では、この結果のベクトルＰＩ［１  ４  ３  ０  ３  １  ０  ２］は、ＰＩとして使用される代表値として使用される。例えば、二進数で表され得る整数値である。
【００８０】
所与のゾーンタイプのリストを有するベクトルに対して、特定の種類のゾーンが所与のサブフレームに含まれない場合、そのゾーンタイプのＲＢの数は０である。
【００８１】
前記の説明は、例示的な目的のためのものであって、本発明の範囲を制限することを目的としない。現実の世界のインプリメンテーションにおいて、ベクトルで定義されるのは、より少ないタイプのゾーンであってもよい。あるいは、付加的な種類のゾーンが定義されてもよい。あるいは、上記の例において、ゾーンが具体的に定義されていなくてもよい。加えて、ゾーンのタイプの順序、およびゾーン毎のＲＢの数は、例示であり、インプリメンテーションに特有のパラメータである。
【００８２】
いくつかの実施例では、置換の数を減らすために、ゾーン毎にＲＢの数は、ｋ倍される。ここで、それぞれのサブフレームのＲＢの合計数がｋによって割り切れるように、ｋはゼロより大きい整数である。
【００８３】
リソース配置インデックスは、ベクトルにおけるゾーンタイプの予め定められた順序に基づいて、ゾーンの順序を示す。
【００８４】
物理サブキャリアから論理サブキャリアへの置換が、セクタに特有であるか、セクタに共通であるかのいずれかであるため、これもまた、フレーム・ヘッダにおいて伝送される。
【００８５】
［ゾーン構成の手順］
ＤＬチャネリゼーションについて、図６のフローチャートおよび図７Ａ、図７Ｂおよび図７Ｃを用いて説明する。図７Ａ、図７Ｂおよび図７Ｃは、ゾーン構成の特定の実施例に係る方法ステップの結果を例示している。
【００８６】
図３、および図４の内容をもう一度参照する。そこにおいては、ネットワークの基地局は、次のフレームのゾーンの数および構成を調整し定義した。以下に説明する図６におけるフローチャートにおけるステップは、チャネリゼーションがアレンジされたフレームの次のフレームにおいてなされることを示している。
【００８７】
図６において、ステップ６−１は、物理サブキャリアを時空−周波数リソースの各々の一つ以上のゾーンに割り当てることを含む。そして、各々のゾーンは、それぞれのタイプの伝送のために使用される。隣接するサブキャリアは、ローカライズされた伝送タイプ・ゾーンに割り当てられる。かつ、均一に分散されたサブキャリアが、分散された伝送タイプ・ゾーンに割り当てられる。いくつかの実施例では、「均一に」分散されたという語の意味は、サブキャリアが定期的に、または少なくとも、再び繰り返されるスペーシング（ｒｅｏｃｃｕｒｒｉｎｇ  ｓｐａｃｉｎｇ）を有することを意味する。
【００８８】
図７Ａは、反復的サブキャリア配置パターン「ＲＯＹＢ」を有する４つの分散された配置ゾーンタイプＲ、Ｏ、Ｙ、Ｂに物理サブキャリア位置を配置することを示している。反復的サブキャリア配置パターンにおいて、物理サブキャリアの４番目毎の位置は、同じゾーンタイプに割り当てられる。図７Ａは、また、一つのローカライズされた配置ゾーンタイプＧへの物理サブキャリア位置の配置が示されている。図７Ａにおいて示されるサブキャリア配置は、サブフレームのＯＦＤＭシンボル７１０の一例である。サブフレームの残りのＯＦＤＭシンボルは、同様に異なるゾーンに割り当てられる。ローカライズされたゾーンは、全てのＯＦＤＭシンボル全体で同じサブキャリアを使用して形成される。ダイバーシティゾーンは、サブフレームのＯＦＤＭシンボル全体で、異なるサブキャリア・マッピングを使用してもよい。
【００８９】
左から始まり右につながるＯＦＤＭシンボル７１０の最初の２０のサブキャリアは、ダイバーシティ伝送として、次の８つのサブキャリアはローカライズされた伝送として、割り当てられる。そして、次の２８のサブキャリアは、ダイバーシティ伝送として割り当てられる。Ｒタイプ・サブキャリアは、２０個のサブキャリアにおいて、４つのサブキャリア毎の位置にＲタイプのサブキャリアが配置されるようにスペーシングされる。Ｒタイプ・ゾーン伝送に割り当てられるサブキャリアは、７２２Ａ−７２２Ｃ、７２４Ａ−７２４Ｃ、７２６Ａ−７２６Ｃ、７２８Ａ−７２８Ｃとして示される。類似した配置は、Ｏ、Ｙ、およびＢサブキャリアに対してもなされる。したがって、第１の物理サブキャリア位置はＲゾーンタイプ伝送７２２Ａに指定される。第２の物理サブキャリア位置はＯのゾーンタイプ伝送７３２Ａに指定される。第３物理サブキャリア位置はＹゾーンタイプ伝送７４２Ａに指定される。第４の物理サブキャリア位置はＢゾーンタイプ伝送７５２Ａに指定される。第５の物理サブキャリア位置はＲゾーンタイプ伝送７２２Ｂに指定される。その他も同様である。
【００９０】
ローカライズされた配置ゾーンタイプＧのために使用されるサブキャリア位置は、ローカライズされた伝送に割り当てられる８つの隣接するサブキャリア位置に割り当てられる。
【００９１】
いくつかの実施例では、ゾーンの同一セットは、複数のセクタにわたって構成される。
そして、各々のゾーンにマップされる物理サブキャリア位置は、関係するセクタ全体にわたって同じである。
【００９２】
いくつかの実施例では、物理サブキャリア位置に対するゾーンタイプの配置は変化させることができる。例えば、シンボル毎、一組のシンボル毎、フレーム毎等である。
【００９３】
ステップ６−２は、一つ以上のゾーンのうち少なくとも一つのゾーンを、ローカライズされたサブキャリアを使用する伝送タイプに割当てる。もし、ローカライズされたサブキャリアを使用する伝送タイプがない場合、ステップ６−２は実行されない。いくつかの実施例では、一つ以上のローカライズされたダイバーシティゾーンの各々は、時間−周波数リソースの特定のゾーンが割り当てられる。いくつかの実施例では、一つ以上のゾーンの少なくとも一つのゾーンが、ローカライズされたサブキャリアを使用する伝送のタイプである場合、ローカライズされたサブキャリアを使用する一つ以上のゾーンの少なくとも一つのゾーンの割り当ては、一つ以上のゾーンの少なくとも一つのゾーンにダイバーシティサブキャリアを使用するタイプの伝送を割り当てる前に行われる。
【００９４】
ステップ６−３において、一旦ゾーンが物理サブキャリア位置の一組に割り当てられると、論理サブキャリア位置にマップするために、各々のゾーンに配置された物理サブキャリアを置換する。所与のゾーンに対する配置されたサブキャリアは、セクタ毎に特定の置換によって、および／または、ゾーン毎に特定の置換によって、置換され、論理サブキャリアにマップされる。
【００９５】
図７Ｂは、物理サブキャリアが論理サブキャリアにどのように置換されるかについて示している。Ｒタイプ・ゾーン・サブキャリアの特定の実施例において、ＯＦＤＭシンボル７１０からの全てのＲタイプゾーンサブキャリア７２２ａ−７２２ｃ、７２４ａ−７２４ｃ、７２６ａ−７２６ｃ、および７２８ａ−７２８ｃは、グループとして集められ、他のＯＦＤＭシンボルからＲタイプゾーンサブキャリアに並べられ、集合的に７２０によって示される。同様に、全てのＯタイプゾーンサブキャリアは、７３０によって示されるようにグループ化される。全てのＹタイプゾーンサブキャリアは、集合的に７４０によって示されるようにグループ化される。全てのＢタイプゾーンサブキャリアは、集合的に７５０によって示されるようにグループ化される。全てのＧタイプゾーンサブキャリアは、集合的に７６０によって示されるようにグループ化される。図７Ａにおいて個々に示される１２の論理サブキャリアが存在し、図７Ｂの７２０の完全なＲタイプ・ゾーンを形成する。
これは、Ｏ、Ｙ、およびＢタイプ・ゾーンにつても同様である。８つの論理サブキャリアが存在し、個々に図７Ａ示され、図７Ｂの７６０のＧタイプ・ゾーンを形成する。
【００９６】
ステップ６−４は、各々のゾーンに対するＲＢのグループを形成する。各々のＲＢが論理サブキャリアの一組を含む。ＲＢのグループは、ベーシックチャネルユニット（ｂａｓｉｃ  ｃｈａｎｎｅｌ  ｕｎｉｔ）として知られている。一部の実施例において、ＢＣＵはＲＢのリストの順になっている。
【００９７】
図７Ｃは、各々のゾーンタイプに対するＲＢのグループ化を例示している。ここで、各々のＲＢは、複数のサブキャリアで形成される。例えば、７６２Ａ、７６２ｂ、７６２Ｃの各々は、ＲＢであり、第１のＢＣＵ７６２を形成している。７６４Ａ、７６４Ｂ、７６４Ｃの各々は、ＲＢであり、第２のＢＣＵ７６４を形成している。７６６Ａ、７６６Ｂ、７６６Ｃは、第３のＢＣＵ７６６を形成している。７６８Ａ、７６８ｂ、７６８Ｃ、は、ＲＢであり、第４のＢＣＵ７６８を形成している。同様のグループ化は、各々のゾーンＯ、Ｙ、ＢおよびＧにおいてもなされる。
【００９８】
ステップ６−５は、一つ以上のゾーンの各々のＲＢのグループを定めている情報の伝送を示している。
【００９９】
いくつかの実施例では、各々の一つ以上のゾーンの制御チャネルにおけるＲＢのグループを定めている情報を送信することは、以下のうちのいずれか１つを送信することを含んでいる：ゾーン特有のインデックスの組合せ（各々の一つ以上のゾーンのための論理サブキャリアのグループの配置の順序は、重要でない）、および、ゾーン特有の置換インデックス（各々の一つ以上のゾーンに対する論理サブキャリアのグループの配置の順序は重要である）。
【０１００】
図６において例示される方法は、ＤＬチャネリゼーションのためのものである。類似した方法は、ＵＬチャネリゼーションのためにインプリメントすることができる。そして、ＤＬのチャネリゼーションの物理サブキャリア、および論理サブキャリアは、より多く適切に、ＵＬチャネリゼーションのための物理タイルおよび論理タイルと呼ぶことができる。そして、ＤＬチャネリゼーションの論理サブキャリアのグループのための論理タイルは、より適切に、ＵＬチャネリゼーションのためのグループと呼ぶことができる。
【０１０１】
ＲＢにおける物理サブキャリア／タイルの数、ゾーンにおけるＲＢの数、ゾーンにおけるＢＣＵの数、サブフレームにおけるゾーンの数およびタイプ、サブフレームにおける異なる種類のゾーン配置は、全て、個々のインプリメンテーション特有のパラメータである。
【０１０２】
さて、次に図８を参照する。そして、これは本発明の一実施例による方法の更なる例を示す。図８において例示される方法は、サブフレームのゾーンを定義することに加えてフレームのサブフレームを定義する。
【０１０３】
一部の実施例において、ゾーン構成インデックスは、一つ以上のサブフレームのチャネリゼーションを定義するために使用される。例えば、ゾーン構成がルックアップ・テーブルの整数値に関連づけられてもよい。そして、これは、一つ以上のサブフレームのチャネリゼーションを定義する基地局および／または移動局がアクセスできる。
【０１０４】
図３、および図４に関して上で述べたシステム情報ブロードキャスト信号において、上述の一つ以上のフレームのサブフレームのチャネリゼーションを定義するために、ゾーン構成が使用される。ステップ８−１は、複数のサブフレームを含むフレームに関するものである。ここで、各々のサブフレームは一つ以上のゾーンを有する。そして、フレームに複数のサブフレームを割り当てる。
【０１０５】
ステップ８−２は、複数のサブフレームを定めている情報を送信することを含む。
【０１０６】
ステップ８−３は、各々のサブフレームのためのものである。サブフレームの各々の一つ以上のゾーンに対して、物理サブキャリアを割り当てる。各ゾーンは、それぞれのタイプの伝送のために使用される。
【０１０７】
ステップ８−４は、ローカライズされたサブキャリアを使用する伝送タイプに対して、一つ以上のゾーンのうちの少なくとも一つのゾーンを割り当てることを含む。ローカライズされたサブキャリアを使用する伝送タイプが無い場合、ステップ６−２は実行されない。いくつかの実施例では、一つ以上のローカライズされたダイバーシティゾーンの各々は、時間−周波数リソースの特定のゾーンが割り当てられる。いくつかの実施例では、一つ以上のゾーンのうちの少なくとも一つのゾーンが、ローカライズされたサブキャリアを使用するタイプの伝送のためのものである場合、ダイバーシティサブキャリアのタイプの伝送を使用する一つ以上のゾーンの少なくとも一つのゾーンを割り当てる前に、ローカライズされたサブキャリアを使用する一つ以上のゾーンの少なくとも一つのゾーンを割り当てる。
【０１０８】
ステップ８−５は、論理サブキャリアにマップするために、各々のゾーンに割り当てられた物理サブキャリアを置換することを含む。
【０１０９】
ステップ８−６は、一つ以上のゾーンの各々のためのＲＢのグループの形成に関係する。
【０１１０】
ステップ８−７は、一つ以上のゾーンの各々のためのＲＢのグループを定める情報を送信することを含む。
【０１１１】
ステップ８−３、８−４、８−５、および８−６は、実質的に図６のステップ６−１、６−２、６−３、および６−４と同様である。ここで、図６の時間−周波数リソースは、サブフレームとして定義される。
【０１１２】
図８は、特定のシーケンスのステップを例示しているが、このことは本発明の範囲を制限することを目的とするものではない。一部の実施例においては、他のシーケンスのステップが試みられる。例えば、ステップ８−１、８−３、８−４、および８−５は順次実行されてもよい、そして、一旦これらのステップが実行されると、送信ステップ８−２、および８−６が実行されてもよい。一部の実施例において、ステップ８−２は一部のフレーム・ヘッダの伝送である。そして、ステップ８−６は各々のサブフレームのそれぞれのゾーンの制御チャネルの伝送である。
【０１１３】
例えばＭＩＭＯネットワークの、マルチ・キャリア・オペレーションにおいては、チャネリゼーションをインプリメントするための異なる方法が存在する。２つの例が図９Ａ、および図９Ｂに示されている。
【０１１４】
いくつかの実施例では、各々のキャリアは、構成される数のゾーンに従い、異なるチャネリゼーションを有する。この場合、各々のキャリアは、別々の制御チャネルを有する。
図９Ａは、２つのゾーンを有する時間−周波数リソース９１０を示す。各ゾーンが各々のキャリアである。各々のゾーンは、これ自身の制御チャネル９２０、９３０、およびデータ転送ゾーン９２５、９３５を有する。
【０１１５】
図の例では、各々のゾーンは、５ＭＨｚとして示されている。これは、本発明を制限することを目的としない。例として挙げたものである。
【０１１６】
いくつかの実施例では、チャネリゼーションは、複数のバンドにわたってもよい。この場合、単一の制御チャネルが、使用されてもよい。この種の構成は広帯域ユーザに送信するために使用されてもよい。狭帯域のユーザのためのサポートは必要とされない。図９Ｂは、１人の広帯域のユーザのための単一のゾーンを有する時間−周波数リソース９４０を示す。すなわち図９Ａの２人ユーザのための狭い５ＭＨｚの代わりに１０ＭＨｚが用いられる。一つのゾーンは、１つの制御チャネル９５０、およびデータ転送ゾーン９６０を有する。
【０１１７】
上述した方法および装置は、ＩＥＥＥ８０２．１６ｍに従って情報を送信するためにインプリメントされてもよい。ＩＥＥＥ８０２．１６ｍは特定の電気通信標準であるが、本願明細書において記載されている本発明の原理は、本発明の態様によって利益を得られる他の標準の方式に使用することができると理解すべきである。
【０１１８】
［リレーシステムの実施例コンポーネントの説明］
本発明の態様がインプリメントされる移動局１６、および基地局１４の概要を説明した。好ましい実施例の構造、および機能的な詳細を以下に説明する。図１０には、基地局１４が例示されている。基地局１４は、一般に、制御システム２０、ベースバンドプロセッサ２２、送信回路２４、受信回路２６、複数のアンテナ２８、およびネットワークインターフェース３０を有する。受信回路２６は、移動局１６によって提供される一つ以上の遠隔トランスミッタから情報を乗せた無線周波数信号を受信する（図１参照）。低雑音増幅器、およびフィルタ（図示せず）は、処理のための信号からブロードバンド干渉を増幅し、取り除くために協働してもよい。ダウンコンバート、およびデジタル化回路（図示せず）は、フィルタ処理された受信信号を中間周波数またはベースバンド周波数にダウンコンバートし、これらは一つ以上のデジタルストリームにデジタル化される。
【０１１９】
ベースバンドプロセッサ２２は、デジタル化された受信信号を処理し、受信信号によって伝送された情報またはデータビットを抽出する。この処理は、通常は、復調、デコーディング、およびエラー訂正オペレーションを備えている。このように、ベースバンドプロセッサ２２は、通常、一つ以上のデジタルシグナルプロセッサ（ＤＳＰ）または特定用途向け集積回路（ＡＳＩＣ）によってインプリメントされる。受信された情報は、ネットワークインターフェース３０を介してワイヤレス・ネットワーク全体に送られるかまたは基地局１４によってサービスされる他の移動局１６に発信される。
【０１２０】
送信側においては、ベースバンドプロセッサ２２はデジタル化されたデータを受信する。データには、制御システム２０のコントロール下のネットワークインターフェース３０からの、音声、データまたは制御情報などがある。そして、伝送するためにデータをエンコードする。エンコードされたデータは、送信回路２４に出力される。所望の送信周波数または複数の周波数を有するキャリア信号によって変調される。電力増幅器（図示せず）は、変調搬送波信号を伝送に適切なレベルに増幅し、かつ、変調搬送波信号をマッチング・ネットワーク（図示せず）によるアンテナ２８に供給する。当業者が利用できるさまざまな変調、および処理技術が、基地局と移動局との間の信号伝送のために使用される。
【０１２１】
図１１には、本発明の一実施例に従って構成される移動局１６が例示されている。基地局１４と同様に、移動局１６は、制御システム３２、ベースバンドプロセッサ３４、送信回路３６、受信回路３８、複数のアンテナ４０、およびユーザ・インタフェース回路４２を有する。受信回路３８は、一つ以上の基地局１４からの情報を伝送する無線周波数信号を受信する。低雑音増幅器、およびフィルタ（図示せず）は、処理するための信号を増幅し、かつ、ブロードバンド干渉を取り除くために協働してもよい。ダウンコンバート、およびデジタル化回路（図示せず）は、受信した信号をダウンコンバートし、フィルタ処理し、中間周波数またはベースバンド周波数に変換し、一つ以上のデジタルストリームにデジタル化する。
【０１２２】
情報またはデータビットを抽出するために、ベースバンドプロセッサ３４は、受信信号によって伝達されたデジタル化された受信信号を処理する。この処理は、通常は、復調、デコーディング、およびエラー訂正オペレーションを含んでいる。ベースバンドプロセッサ３４は、通常、一つ以上のデジタルシグナルプロセッサ（ＤＳＰ）、および特定用途向け集積回路（ＡＳＩＣ）によってインプリメントされる。
【０１２３】
伝送のために、ベースバンドプロセッサ３４は、デジタル化されたデータを制御システム３２から受け取る。これは音声、データまたは制御情報を示してもよい。そして、これを伝送するためにエンコードする。エンコードされたデータは、送信回路３６から出力される。ここで、所望の送信周波数または複数の送信周波数であるキャリア信号を変調器によって変調する。電力増幅器（図示せず）は、伝送に適切なレベルに変調搬送波信号を増幅し、かつ、変調搬送波信号をマッチング・ネットワーク（図示せず）を介してアンテナ４０に供給する。当業者が利用できるさまざまな変調、および処理技術は、移動局と基地局との間の信号伝送のために使用される。
【０１２４】
ＯＦＤＭ変調において、伝送帯域は、複数の、直交搬送波に分けられる。各々の搬送波は、送信されるデジタルデータに従って変調される。ＯＦＤＭは、伝送帯域を多重搬送波に分けるので、キャリア毎のバンド幅は減少する。そして、キャリア毎の変調時間は増加する。多重搬送波は、並列に送信されるので、デジタルデータまたはシンボルのための伝送レートは、いかなる所与のキャリアに対しても、単一のキャリアが使用される時より低くなる。
【０１２５】
ＯＦＤＭ変調は、送信される情報に対して、逆高速フーリエ変換（ＩＦＦＴ）のパフォーマンスを利用する。復調のために、受信信号に対する高速フーリエ変換（ＦＦＴ）の処理によって、伝達情報を取り出す。実際には、ＩＦＦＴ、およびＦＦＴは、それぞれ、逆ディスクリートフーリエ変換（ＩＤＦＴ）、およびディスクリートフーリエ変換（ＤＦＴ）を行うデジタル信号処理によって提供される。したがって、ＯＦＤＭ変調の特徴は、直交搬送波が伝送チャネルの中で複数のバンドに対して生成されるということである。被変調信号は、比較的低い伝送レートを有しており、かつこれらのそれぞれのバンドの範囲内に収まることが可能なデジタル信号である。個々の搬送波は、デジタル信号によって直接変調されない。その代わりに、全ての搬送波は、ＩＦＦＴ処理によってすぐに変調される。
【０１２６】
オペレーションにおいて、ＯＦＤＭは、基地局１４から移動局１６に、好ましくは少なくともダウンリンク伝送のために使用される。各々の基地局１４は「ｎ」個の送信アンテナ２８を備えている。そして、各々の移動局１６は「ｍ」個の受信アンテナ４０を備えている。特に、それぞれのアンテナは、適切な送受信切換回路またはスイッチを使用して、受信、および送信のために使用されてもよい。ここでは、明瞭さのためにのみ、ラベル付けしている。
【０１２７】
図１２を用いて、論理ＯＦＤＭ伝送アーキテクチュアについて説明する。最初に、基地局コントローラ１０は、さまざまな移動局１６に発信されるデータを基地局１４に送る。
基地局１４は、移動局に関連づけられたチャネル品質インジケータ（ＣＱＩｓ）を使用してもよい。そして、データの伝送のためのスケジューリング、スケジュールされたデータを送信するための適切な符号化および変調を選択する。ＣＱＩｓは、移動局１６から直接に受信してもよい。あるいは、移動局１６によって提供される情報に基づいて、基地局１４で決定してもよい。いずれにせよ、各々の移動局１６のためのＣＱＩは、チャネル振幅（またはレスポンス）がＯＦＤＭ周波数帯全体に対して変化する関数である。
【０１２８】
スケジュールされたデータ４４（これはビットのストリームである）は、データスクランブルロジック４６を使用して、データに関連づけられたピーク・トゥ・アベレージ・パワー比を減少させるようにスクランブルされる。スクランブルされたデータのための巡回冗長検査（ＣＲＣ）が決定され、かつＣＲＣ付加ロジック４８を使用して、スクランブルされたデータに追加される。次に、チャネル符号器ロジック５０を使用してチャネルコーディングが実行される。これによって、移動局１６でのエラー訂正・回復を容易にするために効果的に冗長性をデータに付加する。また、特定の移動局１６に対するチャネルコーディングは、ＣＱＩに基づく。一部のインプリメンテーションにおいて、チャネル符号器ロジック５０は、ターボ・エンコーディング・ロジック技術を使用する。エンコードされたデータは、レート・マッチング・ロジック５２によって処理される。これによって、エンコードに関連するデータの増大（ｅｘｐａｎｓｉｏｎ）を補償する。
【０１２９】
ビットインターリーバ・ロジック５４は、連続的なデータビットの損失を最小化するために、系統的にエンコードされたデータのビットを並び替える。結果として生じるデータビットは、マッピング論理５６によって選ばれたベースバンド方式の変調に従って、対応するシンボルに系統的にマップされる。望ましくは、ＱＡＭ（Ｑｕａｄｒａｔｕｒｅ  Ａｍｐｌｉｔｕｄｅ  Ｍｏｄｕｌａｔｉｏｎ）またはＱＰＳＫ（Ｑｕａｄｒａｔｕｒｅ  Ｐｈａｓｅ  Ｓｈｉｆｔ  Ｋｅｙ）変調が使用される。変調度は、好ましくは、特定の移動局のＣＱＩに基づいて選択される。シンボルは、シンボル・インターリーバ・ロジック５８を使用して、周波数選択性フェージングによって生じる周期的なデータ損失に対して、送信された信号の免疫（ｉｍｍｕｎｉｔｙ）を補強するために、更に系統的に並び替えが行われる。
【０１３０】
この点で、ビットのグループは、振幅および位相コンステレーションの位置を示すシンボルにマップされる。空間ダイバーシティが要求されるときには、シンボルのブロックは、時空ブロック・コード（ＳＴＣ：Ｓｐａｃｅ−ｔｉｍｅ  ｂｌｏｃｋ  ｃｏｄｅ）符号器ロジック６０によって処理される。これによって、シンボルは、送信された信号を干渉に対してより対抗できるようにし、移動局１６でデコードされやすくする。ＳＴＣ符号器ロジック６０は、到来するシンボルを処理し、基地局１４のための送信アンテナ２８の数に対応する、「ｎ」個の出力を提供する。図１０に関して、上述した制御システム２０および／またはベースバンドプロセッサ２２は、コントロールＳＴＣエンコーディングにマッピング制御信号を提供する。この点で、「ｎ」個の出力のためのシンボルが送信されるデータを代表し、かつ、移動局１６によって、これを回復することが可能であると仮定する。
【０１３１】
本実施例において、基地局１４が２つのアンテナ２８（ｎ＝２）を有し、かつＳＴＣ符号器ロジック６０が２つの出力ストリームシンボルを提供すると仮定する。したがって、ＳＴＣ符号器ロジック６０による各々のシンボルストリーム出力は対応するＩＦＦＴプロセッサ６２に転送される。図においては、理解することを容易にするために別個に示されている。当業者は、単独でまたは本願明細書において記載されている他の処理と結合して、一つ以上のプロセッサがこの種のデジタル信号処理を提供するために使用されてもよいと認識する。ＩＦＦＴプロセッサ６２は、逆フーリエ変換を提供するために、好ましくはそれぞれのシンボルに作用する。ＩＦＦＴプロセッサ６２の出力は、時間領域のシンボルを提供する。時間領域シンボルはフレームに分類される。そして、これはプレフィクス挿入ロジック６４によってプレフィクスに関連づけられる。その結果として生じる信号の各々は、中間周波数にデジタル領域においてアップコンバートされ、かつ対応するデジタルアップコンバージョン（ＤＵＣ）およびデジタル／アナログ（Ｄ／Ａ）変換回路６６を介してアナログ信号に変換される。その結果として生じる（アナログの）信号は、同時に所望のＲＦ周波数で変調され、増幅され、かつＲＦ回路６８、およびアンテナ２８を介して送信される。特に、目的の移動局１６によって知られたパイロット信号は、サブキャリアに分散する。移動局１６（これは以下に詳細に述べられる）は、チャネル評価のためのパイロット信号を使用する。
【０１３２】
図１３は、送信された信号を、移動局１６が受信することを示す図である。送信された信号は、移動局１６の各々のアンテナ４０に現れる。それぞれの信号は、復調され、かつ対応するＲＦ回路７０によって増幅される。簡潔性、および明瞭さのために、２本の受信経路のうちの１本だけが、詳細に図と共に説明されている。アナログ−デジタル（Ａ／Ｄ）コンバータおよびダウンコンバージョン回路７２は、アナログ信号をデジタル化し、デジタル処理のためにダウンコンバートする。その結果得られるデジタル化された信号は、自動ゲイン制御装置（ＡＧＣ）７４に利用され、受信信号レベルに基づいてＲＦ回路７０の増幅器の利得がコントロールされる。
【０１３３】
最初に、デジタル化された信号は同期化ロジック７６に提供される。そして、これは粗い同期化ロジック７８を含む。これはいくつかのＯＦＤＭシンボルをバッファリングし、かつ、２つの連続したＯＦＤＭシンボル間の自己相関を算出する。相関結果の最大に対応する結果として得られる時間インデックスは、精密な同期化探索ウィンドウを決定する。
そして、これはヘッダに基づいて、正確なフレーミング開始位置を決定するために精密な同期化ロジック８０によって使用される。精密な同期化ロジック８０の出力は、フレーム整列ロジック８４によってフレーム取得を容易にする。次のＦＦＴ処理において、時間領域から周波数領域への正確な変換を提供するために、適切なフレーミング配列が重要である。精密な同期化アルゴリズムは、ヘッダにより運ばれる受信されたパイロット信号と、ローカルコピーの既知のパイロット・データとの間の相関に基づく。一旦フレーム位置あわせ取得（ｆｒａｍｅ  ａｌｉｇｎｍｅｎｔ  ａｃｑｕｉｓｉｔｉｏｎ）がなされると、ＯＦＤＭシンボルのプレフィクスはプレフィクス除去ロジック８６によって削除される、そして、その結果として得られるサンプルは周波数オフセット修正ロジック８８に転送される。そして、これは送信器と、受信器との間のマッチしない局部発振器によって生じるシステム周波数オフセットを補償する。望ましくは、同期化ロジック７６は、周波数オフセット、およびクロック推定ロジック８２を含む。これは、送信された信号におけるこの種の効果を推定するのを助けるヘッダに基づき、かつ、ＯＦＤＭシンボルを適切に処理するための修正ロジック８８にこれらの評価を提供する。
【０１３４】
この点で、時間領域のＯＦＤＭシンボルは、ＦＦＴ処理ロジック９０を使用した周波数領域への変換の準備ができている。その結果は周波数領域シンボルである。そして、これは処理ロジック９２に送られる。処理ロジック９２は、分散したパイロット抽出ロジック９４を使用して、分散したパイロット信号を抽出し、抽出されたパイロット信号に基づいて、チャネル推定ロジック９６を使用して、チャネル推定を決定し、かつ、チャネル復元ロジック９８を使用して、全てのサブキャリアのためのチャネル応答を提供する。各々のサブキャリアのためのチャネル応答を決定するために、パイロット信号は、時間、および周波数の既知のパターンのＯＦＤＭサブキャリアの全体にわたってデータシンボルの中で分散する基本的に複数のパイロット・シンボルである。ＯＦＤＭ環境における所与の時間および周波数にわたる利用できるサブキャリア、プロットの中のパイロット・シンボルの分散の例は、本出願の同じ譲受人に譲渡された２００５年３月１５日に出願の国際特許出願番号第ＰＣＴ／ＣＡ２００５／０００３８７号において見ることができる。図１３を更に見ると、処理ロジックは、受信されたパイロット・シンボルをパイロット・シンボルが送信されたサブキャリアのためのチャネル応答を決定するために特定の時間に特定のサブキャリアにおいて予想されるパイロット・シンボルと比較する。結果は、パイロット・シンボルが提供されなかった残りの（全てではない）サブキャリアチャネル応答を推定するために補間される。実際のおよび補完されたチャネルレスポンスは、全体のチャネル応答を推定するために利用される。そして、これは、全てではないにしても、ほとんどのＯＦＤＭチャネルのサブキャリアのチャネル応答を含む。
【０１３５】
周波数領域シンボル、およびチャネル復元情報は、各々の受信経路に対するチャネルレスポンスから得られ、ＳＴＣデコーダ１００に与えられる。これは、送信されたシンボルを回復するために、両者の受信されたパス上のＳＴＣデコーディングを提供する。それぞれの周波数領域シンボルを処理するときに、チャネル復元情報は伝送チャネルの効果を除去するのに十分なＳＴＣデコーダ１００に等化情報を提供する。
【０１３６】
回復されたシンボルは、シンボル・デインターリーバ・ロジック１０２を使用して、順序通りに配置される。そして、これは送信器のシンボル・インターリーバ・ロジック５８に対応する。デインターリーブ化シンボルは、これから復調されるかまたは対応するビット列を使用してデマッピング・ロジック１０４によってデマッピングされる。ビットは、ビット・デインターリーバ・ロジック１０６を使用してデインターリーブされる。そして、これは送信器アーキテクチュアのビットインターリーバ・ロジック５４に対応する。デインターリーブされたビットは、最初にスクランブルされたデータおよびＣＲＣチェックサムから回復するために、レート・デマッチングロジック１０８で処理され、チャネル復号器ロジック１１０に提供される。したがって、ＣＲＣロジック１１２はＣＲＣチェックサムを取り除くと、スクランブルされたデータを従来の方式でチェックする。そして、それをデスクランブルロジック１１４に提供し、既知の基地局のデスクランブリングコードを使用して、当初送信されたデータ１１６を回復する。
【０１３７】
データ１１６を回復することと並行して、ＣＱＩまたは少なくとも基地局１４でＣＱＩを作成するのに十分な情報が特定され基地局１４に発信される。上記の如く、チャネル応答がＯＦＤＭ周波数帯のさまざまなサブキャリア全体に変化する程度と同様に、ＣＱＩは、キャリア対干渉比率（ＣＲ：ｃａｒｒｉｅｒ−ｔｏ−ｉｎｔｅｒｆｅｒｅｎｃｅ）の関数であってもよい。情報送信に使用されているＯＦＤＭ周波数帯の各々のサブキャリアのためのチャネル利得は、チャネル利得がＯＦＤＭ周波数帯全体で変化する程度を決定するために、互いに比較される。変化の程度を測定する手段は数多く存在するが、送信データに使用されているＯＦＤＭ周波数帯の全体にわたって各々のサブキャリアのためのチャネル利得の標準偏差を算出する技術が挙げられる。
【０１３８】
図１、および図１０〜図１３は、通信システムの具体例または本発明の実施例をインプリメントするために使用されることができる通信システムの要素を各々提供する。本発明の実施例は、具体的な実施例とは異なるアーキテクチャを有する通信システムによってインプリメントされてもよい。なお、これは、本願明細書において記載されているように、実施例のインプリメンテーションと整合した方法で作動する。
【０１３９】
本発明の多数の修正変更は、上記の教示を考慮して可能である。添付の請求の範囲で、本願明細書において特に記載されている以外の方法で実施されてもよいことは言うまでもない。
【図１】
2015097401.tif 000003
【図２】
2015097401.tif 000004
【図３】
2015097401.tif 000005
【図４】
2015097401.tif 000006
【図５Ａ】
2015097401.tif 000007
【図５Ｂ】
2015097401.tif 000008
【図６】
2015097401.tif 000009
【図７】
2015097401.tif 000010
【図８】
2015097401.tif 000011
【図９Ａ】
2015097401.tif 000012
【図９Ｂ】
2015097401.tif 000013
【図１０】
2015097401.tif 000014
【図１１】
2015097401.tif 000015
【図１２】
2015097401.tif 000016
【図１３】
2015097401.tif 000017
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
チャネリゼーションに適している方法であって、
時間領域における複数のシンボル継続時間と、周波数領域における複数のサブキャリアとを含む２次元の時間−周波数リソースに対して、
前記時間−周波数リソースにおける１つ又は複数のゾーンのそれぞれに対して、サブキャリアを割り当てるステップであって、前記１つ又は複数のゾーンのそれぞれは、各伝送タイプに対して使用され、前記１つ又は複数のゾーンの少なくとも第１のゾーンは、単一周波数ネットワーク（ＳＦＮ）伝送タイプに対して使用される、ステップと、
前記１つ又は複数のゾーンのそれぞれに対して、前記ゾーン内のリソースブロックのグループを形成するステップであって、各リソースブロックが少なくとも１つのサブキャリアを含む、ステップと、
ゾーン構成情報を送信するステップであって、前記１つ又は複数のゾーンのそれぞれに対して、前記ゾーン構成情報が前記ゾーンのそれぞれのサイズを示す、ステップと、を含む動作を実行する、方法。
【請求項２】
前記１つ又は複数のゾーンの少なくとも第２のゾーンは、フラクショナル周波数再利用（ＦＦＲ）伝送タイプに対して使用される、請求項１に記載の方法。
【請求項３】
前記動作は、無線ネットワークの第１のセクタで実行され、前記第１のセクタに隣接する少なくとも第２のセクタは、伝送のために前記第１のゾーンを使用しない、請求項２に記載の方法。
【請求項４】
前記１つ又は複数のゾーンのそれぞれに対して、前記ゾーン構成情報が、前記ゾーンの各タイプを示す、請求項１に記載の方法。
【請求項５】
前記１つ又は複数のゾーンの少なくとも第２のゾーンは、非ＳＦＮ伝送タイプに対して使用される、請求項１に記載の方法。
【請求項６】
前記動作は、さらに、物理領域と論理領域との間で各ゾーンに対して前記サブキャリアをマッピングするステップを含み、
前記動作は、無線ネットワークの複数のセクタのそれぞれに対して実行され、前記複数のセクタのそれぞれに対して、セクタ特有の置換を使用して前記マッピングが実行される、請求項１に記載の方法。
【請求項７】
前記１つ又は複数のゾーンのそれぞれは、ダイバーシティゾーン又は周波数選択ゾーンであり、前記１つ又は複数のゾーンのそれぞれに対して、前記ゾーン構成情報は、ゾーンがダイバーシティゾーンであるか又は周波数選択ゾーンであるかを示す対応ビットを含む、請求項１に記載の方法。
【請求項８】
前記１つ又は複数のゾーンは複数のゾーンを含み、前記複数のゾーンのそれぞれは、同一の時間的幅を有する、請求項１に記載の方法。
【請求項９】
アンテナシステム及び送信機を備えた基地局であって、
時間領域における複数のシンボル継続時間と、周波数領域における複数のサブキャリアとを含む２次元の時間−周波数リソースに対して、前記送信機は、
前記時間−周波数リソースにおける１つ又は複数のゾーンのそれぞれに対して、サブキャリアを割り当てるステップであって、前記１つ又は複数のゾーンのそれぞれは、各伝送タイプに対して使用され、前記１つ又は複数のゾーンの少なくとも第１のゾーンは、単一周波数ネットワーク（ＳＦＮ）伝送タイプに対して使用される、ステップと、
前記１つ又は複数のゾーンのそれぞれに対して、前記ゾーン内のリソースブロックのグループを形成するステップであって、各リソースブロックが少なくとも１つのサブキャリアを含む、ステップと、
ゾーン構成情報を送信するステップであって、前記１つ又は複数のゾーンのそれぞれに対して、前記ゾーン構成情報が前記ゾーンのそれぞれのサイズを示す、ステップと、を含む動作を実行するように構成される、基地局。
【請求項１０】
前記１つ又は複数のゾーンの少なくとも第２のゾーンは、フラクショナル周波数再利用（ＦＦＲ）伝送タイプに対して使用される、請求項９に記載の基地局。
【請求項１１】
前記動作は、無線ネットワークの第１のセクタで実行され、前記第１のセクタに隣接する少なくとも第２のセクタは、伝送のために前記第１のゾーンを使用しない、請求項１０に記載の基地局。
【請求項１２】
前記１つ又は複数のゾーンのそれぞれに対して、前記ゾーン構成情報が、前記ゾーンの各タイプを示す、請求項９に記載の基地局。
【請求項１３】
前記１つ又は複数のゾーンの少なくとも第２のゾーンは、非ＳＦＮ伝送タイプに対して使用される、請求項９に記載の基地局。
【請求項１４】
前記動作は、さらに、物理領域と論理領域との間で各ゾーンに対して前記サブキャリアをマッピングするステップを含み、
前記動作は、無線ネットワークの複数のセクタのそれぞれに対して実行され、前記複数のセクタのそれぞれに対して、セクタ特有の置換を使用して前記マッピングが実行される、請求項９に記載の基地局。
【請求項１５】
プログラム命令が記録されたコンピュータ読み取り可能な記録媒体であって、前記プログラム命令が基地局によって実行されたときに、前記基地局が、
時間領域における複数のシンボル継続時間と、周波数領域における複数のサブキャリアとを含む２次元の時間−周波数リソースに対して、
前記時間−周波数リソースにおける１つ又は複数のゾーンのそれぞれに対して、サブキャリアを割り当てるステップであって、前記１つ又は複数のゾーンのそれぞれは、各伝送タイプに対して使用され、前記１つ又は複数のゾーンの少なくとも第１のゾーンは、単一周波数ネットワーク（ＳＦＮ）伝送タイプに対して使用される、ステップと、
前記１つ又は複数のゾーンのそれぞれに対して、前記ゾーン内のリソースブロックのグループを形成するステップであって、各リソースブロックが少なくとも１つのサブキャリアを含む、ステップと、
ゾーン構成情報を送信するステップであって、前記１つ又は複数のゾーンのそれぞれに対して、前記ゾーン構成情報が前記ゾーンのそれぞれのサイズを示す、ステップと、を含む動作を実行する、記録媒体。
【請求項１６】
前記１つ又は複数のゾーンの少なくとも第２のゾーンは、フラクショナル周波数再利用（ＦＦＲ）伝送タイプに対して使用される、請求項１５に記載の記録媒体。
【請求項１７】
前記動作は、無線ネットワークの第１のセクタで実行され、前記第１のセクタに隣接する少なくとも第２のセクタは、伝送のために前記第１のゾーンを使用しない、請求項１６に記載の記録媒体。
【請求項１８】
前記１つ又は複数のゾーンのそれぞれに対して、前記ゾーン構成情報が、前記ゾーンの各タイプを示す、請求項１５に記載の記録媒体。
【請求項１９】
前記１つ又は複数のゾーンの少なくとも第２のゾーンは、非ＳＦＮ伝送タイプに対して使用される、請求項１５に記載の記録媒体。
【請求項２０】
前記動作は、さらに、物理領域と論理領域との間で各ゾーンに対して前記サブキャリアをマッピングするステップを含み、
前記動作は、無線ネットワークの複数のセクタのそれぞれに対して実行され、前記複数のセクタのそれぞれに対して、セクタ特有の置換を使用して前記マッピングが実行される、請求項１５に記載の記録媒体。